【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】    一般式（ＩＩ）：
【化１】
2002518488.tif 000001
［式中、
各々のＡは、独立に、窒素又はメチンであって、少なくとも２個のＡが窒素であり；
Ｘは、独立に水素及びブロッキング基から選ばれ；
Ｒ3及びＲ4の各々は、独立に、水素、ヒドロカルビル、ハロゲン、ヒドロキシル、シアノ、−Ｏ（ヒドロカルビル）、−Ｏ（官能性ヒドロカルビル）、−Ｎ（ヒドロカルビル）（ヒドロカルビル）、−Ｎ（官能性ヒドロカルビル）（官能性ヒドロカルビル）、−Ｓ（ヒドロカルビル）、−Ｓ（官能性ヒドロカルビル）、ＳＯ2（ヒドロカルビル）、ＳＯ3（ヒドロカルビル）、ＳＯ2（官能性ヒドロカルビル）、ＳＯ3（官能性ヒドロカルビル）、−ＣＯＯ（ヒドロカルビル）、−ＣＯＯ（官能性ヒドロカルビル）、−ＣＯ（ヒドロカルビル）、−ＣＯ（官能性ヒドロカルビル）、−ＯＣＯ（ヒドロカルビル）、−ＯＣＯ（官能性ヒドロカルビル）、−ＣＯＮＨ2、−ＣＯＮＨ（ヒドロカルビル）、−ＣＯＮＨ（官能性ヒドロカルビル）、−ＣＯＮ（ヒドロカルビル）（ヒドロカルビル）、−ＣＯＮ（官能性ヒドロカルビル）（ヒドロカルビル）、−ＣＯＮ（官能性ヒドロカルビル）（官能性ヒドロカルビル）、又は上記の基のいずれかで置換したヒドロカルビル基であり；そして
各々のＲ及びＲ1は、同一でも異なっていてもよく、そして独立に、１個と２１個の間の炭素原子を有するヒドロカルビル基、２個と２１個の間の原子を有するアルケニル基、５個と２１個の間の炭素原子を有するシクロアルキル、７個と２１個の間の炭素原子を有するアラルキル、及び、ハロゲン、ヒドロキシル、シアノ、−Ｏ（ヒドロカルビル）、−Ｏ（官能性ヒドロカルビル）、−Ｎ（ヒドロカルビル）（ヒドロカルビル）、−Ｎ（官能性ヒドロカルビル）（官能性ヒドロカルビル）、−Ｓ（ヒドロカルビル）、−Ｓ（官能性ヒドロカルビル）、ＳＯ2（ヒドロカルビル）、ＳＯ3（ヒドロカルビル）、ＳＯ2（官能性ヒドロカルビル）、ＳＯ3（官能性ヒドロカルビル）、−ＣＯＯ（ヒドロカルビル）、−ＣＯＯ（官能性ヒドロカルビル）、−ＣＯ（ヒドロカルビル）、−ＣＯ（官能性ヒドロカルビル）、−ＯＣＯ（ヒドロカルビル）、−ＯＣＯ（官能性ヒドロカルビル）、−ＣＯＮＨ2、−ＣＯＮＨ（ヒドロカルビル）、−ＣＯＮＨ（官能性ヒドロカルビル）、−ＣＯＮ（ヒドロカルビル）（ヒドロカルビル）、−ＣＯＮ（官能性ヒドロカルビル）（ヒドロカルビル）、−ＣＯＮ（官能性ヒドロカルビル）（官能性ヒドロカルビル）で置換された上記のヒドロカルビル基；１個以上の酸素原子又はカルボニル基により中断されており、そしてヒドロキシ、Ｃ1−Ｃ12アルコキシ及びグリシジルオキシから成る群から選ばれる１個以上の置換基で場合によっては置換されていてもよいＣ2−Ｃ50アルキル；グリシジル；及びヒドロキシル又は−ＯＣＯＲ11で場合によっては置換されていてもよいシクロヘキシルであり、但し、Ｒ基は、環と結合している第四級炭素に結合している］
を有する化合物。
【請求項２】  式（ＩＩＩ）：
【化３】
2002518488.tif 000002
［式中、
Ａ、Ｒ、Ｒ3、Ｒ4及びＸは、請求項１におけると同様に定義され；
ｒは、２と４の間の整数であり；
Ｄは、ｒが２の場合には、Ｃ2−Ｃ16アルキレン、Ｃ4−Ｃ12アルケニレン、キシリレン、１個以上の酸素原子で中断されているＣ4−Ｃ20アルキレン、１個以上の酸素原子で中断されているヒドロキシ置換Ｃ3−Ｃ20アルキル、−ＣＨ2ＣＨ（ＯＨ）ＣＨ2Ｏ−Ｒ15−ＯＣＨ2ＣＨ（ＯＨ）ＣＨ2−、−ＣＯ−Ｒ16−ＣＯ−、−ＣＯ−ＮＨ−Ｒ17−ＮＨ−ＣＯ−、−（ＣＨ2）s−ＣＯＯ−Ｒ18−ＯＣＯ−（ＣＨ2）s−、
式ＸＸ：
-CH2-CH(OH)-CH2-O-(CH2-(CH2)u-O-)mm-CH2-CH(OH)-CH2-  ・(XX)
を有するポリオキシアルキレン橋架け基、
式ＸＸＩ：
-CO-(CH2)u-O-(CH2-(CH2)u-O-)mm-(CH2)u-CO-                 (XXI)
を有するポリオキシアルキレン橋架け基、
式ＸＸＩＩ：
-YY-O-CO(CH2)u-O-(CH2-(CH2)u-O-)mm-(CH2)u-COO-YY-    (XXII)
を有するポリオキシアルキレン橋架け基、
式ＸＸＩＩＩ：
-(CH2)kk-CH(R21)-CO-B1-(Cnn-H2nn-O-)mm-CnnH2nn-B1-CO-CH(R21)
-(CH2)kk-                                                    (XXIII)
を有するポリオキシアルキレン橋架け基、
式ＸＸＩＶ：
-COCH(R21)CH2NH(CnnH2nnO)mmCnnH2nn-NHCH2-CH(R21)CO-       (XXIV)
を有するポリオキシアルキレン橋架け基、
式ＸＸＶ：
-YY-O-CO-(CH2)2-NH-(CnnH2nn-O-)mm-CnnH2nn-NH-(CH2)2COO-YY-
(XXV)
を有するポリオキシアルキレンの橋架け基、
式ＸＸＶＩ：
-(CnnH2nn-O-)mm-CnnH2nn-                                  (XXVI)
を有するポリオキシアルキレンの橋架け基、及び、
式ＸＸＶＩＩ：
-CH(CH3)-CH2-(O-CH(CH3)-CH2)a-(O-CH2-CH2)b-(O-CH2-CH(CH3)c-
(XXVII)
を有するポリオキシアルキレンの橋架け基から成る群から選ばれ；かつ、
ａ＋ｃ＝２．５  そして  ｂ＝８．５〜４０．５  であるか、又は、ａ＋ｃ＝２〜３３  かつ  ｂ＝０  であり、Ｒ21は、水素又はＣ1−Ｃ16アルキルであり、Ｒ22は、水素又は−Ｏ−Ｒ23であり、Ｒ23は、水素、Ｃ1−Ｃ6アルキル、Ｃ3−Ｃ6アルケニル、アリール、又はアリール−Ｃ1−Ｃ4アルキルであり、Ｒ24は、水素、Ｃ1−Ｃ12アルキル又はアリールであり、Ｒ25は、Ｃ1−Ｃ16アルキル、Ｃ5−Ｃ12シクロアルキル、Ｃ3−Ｃ6アルケニル、Ｃ1−Ｃ12アルキルアリール、又はアリール−Ｃ1−Ｃ4アルキルであり、Ｒ26は、水素又はＣ1−Ｃ4アルキルであり、Ｒ27は、水素、Ｃ1−Ｃ18アルキル、Ｃ3−Ｃ6アルケニル、Ｃ1−Ｃ18アルコキシ、ハロゲン、又はアリール−Ｃ1−Ｃ4アルキルであり、Ｒ28及びＲ28は、互いに独立に、水素、Ｃ1−Ｃ18アルキル、Ｃ3−Ｃ6アルケニル、Ｃ1−Ｃ18アルコキシ、又はハロゲンであり、Ｒ30は、水素、Ｃ1−Ｃ4アルキル又はＣＮであり、
ＹＹは、非置換の又は置換されたＣ2−Ｃ20アルキルであり、
Ｂ1は、ＮＨ又はＯであり、
ｋｋは、ゼロ又は１〜１６の整数であり、
ｍｍは、２〜６０の整数であり、
ｎｎは、２〜６の整数であり、
ｕは、１〜４の整数であり、
ｒが３の場合には、Ｄは、−［−（ＣＨ2）s−ＣＯＯ−］3−Ｒ19であり、そしてｒが４の場合には、Ｄは、−［−（ＣＨ2）s−ＣＯＯ−］4−Ｒ20〔式中、Ｒ19はＣ3−Ｃ10アルカントリイルであり、そしてＲ20はＣ4−Ｃ10アルカンテトリルであり；そしてｓは、１〜６である〕であり；かつ、
Ｒ15は、Ｃ2−Ｃ10アルキレン、Ｃ2−Ｃ10オキサアルキレン又はジチアアルキレン、フェニレン、ナフチレン、ジフェニレン、又はＣ2−Ｃ6アルケニレン、又はフェニレン−ＸＸ−フェニレン（ここに、ＸＸは、−Ｏ−、−Ｓ−、−ＳＯ2−、−ＣＨ2−、又は−Ｃ（ＣＨ3）2−である）であり；
Ｒ16は、Ｃ2−Ｃ10アルキレン、Ｃ2−Ｃ10オキサアルキレン又はＣ2−Ｃ10ジチアアルキレン、フェニレン、ナフチレン、ジフェニレン、又はＣ2−Ｃ6アルケニレンであり、ただし、ｒが３の場合には、アルケニレンは少なくとも３個の炭素原子を有するものとし、
Ｒ17は、Ｃ2−Ｃ10アルキレン、フェニレン、ナフチレン、ジフェニレン、又はＣ2−Ｃ6アルケニレン、メチレンジフェニレン、又はＣ4−Ｃ15アルキルフェニレンであり；そして
Ｒ18は、Ｃ2−Ｃ10アルキレン、又は１個以上の酸素原子で中断されているＣ4−Ｃ20アルキレンである］
を有する化合物。
【請求項３】  式（ＩＶ）：
【化４】
2002518488.tif 000003
［式中、
Ａ、Ｒ、Ｒ3、Ｒ4及びＬは、請求項１におけると同様に定義され；
Ｌは、水素、ヒドロカルビル、ハロゲン、ヒドロキシル、シアノ、−Ｏ（ヒドロカルビル）、−Ｏ（官能性ヒドロカルビル）、−Ｎ（ヒドロカルビル）（ヒドロカルビル）、−Ｎ（官能性ヒドロカルビル）（官能性ヒドロカルビル）、−Ｓ（ヒドロカルビル）、−Ｓ（官能性ヒドロカルビル）、ＳＯ2（ヒドロカルビル）、ＳＯ3（ヒドロカルビル）、ＳＯ2（官能性ヒドロカルビル）、ＳＯ3（官能性ヒドロカルビル）、−ＣＯＯ（ヒドロカルビル）、−ＣＯＯ（官能性ヒドロカルビル）、−ＣＯ（ヒドロカルビル）、−ＣＯ（官能性ヒドロカルビル）、−ＯＣＯ（ヒドロカルビル）、−ＯＣＯ（官能性ヒドロカルビル）、−ＣＯＮＨ2、−ＣＯＮＨ（ヒドロカルビル）、−ＣＯＮＨ（官能性ヒドロカルビル）、−ＣＯＮ（ヒドロカルビル）（ヒドロカルビル）、−ＣＯＮ（官能性ヒドロカルビル）（ヒドロカルビル）、−ＣＯＮ（官能性ヒドロカルビル）（官能性ヒドロカルビル）、又は上記の基のいずれかで置換されたヒドロカルビル基であり；
ｒは、２と４の間の整数であり；
Ｘ’は、ｒが２の場合は、Ｃ2−Ｃ16アルキレン、Ｃ4−Ｃ12アルケニレン、キシリレン、１個以上の酸素原子で中断されているＣ4−Ｃ20アルキレン、１個以上の酸素原子で中断されているヒドロキシ置換Ｃ3−Ｃ20アルキル、−ＣＨ2ＣＨ（ＯＨ）ＣＨ2Ｏ−Ｒ15−ＯＣＨ2ＣＨ（ＯＨ）ＣＨ2−、−ＣＯ−Ｒ16−ＣＯ−、−ＣＯ−ＮＨ−Ｒ17−ＮＨ−ＣＯ−、−（ＣＨ2）s−ＣＯＯ−Ｒ18−ＯＣＯ−（ＣＨ2）s−、
式ＸＸ：
-CH2-CH(OH)-CH2-O-(CH2-(CH2)u-O-)mm-CH2-CH(OH)-CH2-  (XX)
を有するポリオキシアルキレン橋架け基、
式ＸＸＩ：
-CO-(CH2)u-O-(CH2-(CH2)u-O-)mm-(CH2)u-CO-             (XXl)
を有するポリオキシアルキレン橋架け基、
式ＸＸＩＩ：
-YY-O-CO(CH2)u-O-(CH2-(CH2)u-O-)mm-(CH2)u-COO-YY-   (XXII)
を有するポリオキシアルキレン橋架け基、
式ＸＸＩＩＩ：
-(CH2)kk-CH(R21)-CO-B1-(Cnn-H2nn-O-)mm-CnnH2nn-B1-CO-CH(R21)-(CH2)kk-                                                            (XXIll)
を有するポリオキシアルキレン橋架け基、
式ＸＸＩＶ：
-COCH(R21)CH2NH(CnnH2nnO)mmCnnH2nn-NHCH2-CH(R21)CO-    (XXIV)
を有するポリオキシアルキレン橋架け基、
式ＸＸＶ：
-YY-O-CO-(CH2)2-NH-(CnnH2nn-O-)mm-CnnH2nn-NH-(CH2)2COO-YY-
(XXV)
を有するポリオキシアルキレン橋架け基、
式ＸＸＶＩ：
-(CnnH2nn-O-)mm-CnnH2nn-                                        (XXVI)
を有するポリオキシアルキレン橋架け基、及び、
式ＸＸＶＩＩ：
-CH(CH3)-CH2-(O-CH(CH3)-CH2)a-(O-CH2-CH2)b-(O-CH2-CH(CH3)c-
(XXVII)
を有するポリオキシアルキレンの橋架け基から成る群から選ばれ；かつ、
ａ＋ｃ＝２．５かつｂ＝８．５〜４０．５であるか、又は、ａ＋ｃ＝２〜３３かつｂ＝０であり、Ｒ21は、水素又はＣ1−Ｃ16アルキルであり、Ｒ22は、水素又は−Ｏ−Ｒ23であり、Ｒ23は、水素、Ｃ1−Ｃ6アルキル、Ｃ3−Ｃ6アルケニル、アリール、又はアリール−Ｃ1−Ｃ4アルキルであり、Ｒ24は、水素、Ｃ1−Ｃ12アルキル又はアリールであり、Ｒ25は、Ｃ1−Ｃ16アルキル、Ｃ5−Ｃ12シクロアルキル、Ｃ3−Ｃ6アルケニル、Ｃ1−Ｃ12アルキルアリール、又はアリール−Ｃ1−Ｃ4アルキルであり、Ｒ26は、水素又はＣ1−Ｃ4アルキルであり、Ｒ27は、水素、Ｃ1−Ｃ18アルキル、Ｃ3−Ｃ6アルケニル、Ｃ1−Ｃ18アルコキシ、ハロゲン、又はアリール−Ｃ1−Ｃ4アルキルであり、Ｒ28及びＲ28は、互いに独立に、水素、Ｃ1−Ｃ18アルキル、Ｃ3−Ｃ6アルケニル、Ｃ1−Ｃ18アルコキシ、又はハロゲンであり、Ｒ30は、水素、Ｃ1−Ｃ4アルキル又はＣＮであり、
ＹＹは、非置換の又は置換されたＣ2−Ｃ20アルキルであり、
Ｂ1は、ＮＨ又はＯであり、
ｋｋは、ゼロ又は１〜１６の整数であり、
ｍｍは、２〜６０の整数であり、
ｎｎは、２〜６の整数であり、
ｕは、１〜４の整数である、
ｒが３の場合には、Ｄは、−［−（ＣＨ2）s−ＣＯＯ−］3−Ｒ19であり、そしてｒが４の場合には、Ｄは、−［−（ＣＨ2）s−ＣＯＯ−］4−Ｒ20（ここで、Ｒ19はＣ3−Ｃ10アルカントリイルであり、そしてＲ20はＣ4−Ｃ10アルカンテトリルであり；そして
ｓは、１〜６である）であり；かつ、
Ｒ15は、Ｃ2−Ｃ10アルキレン、Ｃ2−Ｃ10オキサアルキレン又はジチアアルキレン、フェニレン、ナフチレン、ジフェニレン、又はＣ2−Ｃ6アルケニレン、又はフェニレン−ＸＸ−フェニレン（ここに、ＸＸは、−Ｏ−、−Ｓ−、−ＳＯ2−、−ＣＨ2−又は−Ｃ（ＣＨ3）2−である）であり；
Ｒ16は、Ｃ2−Ｃ10アルキレン、Ｃ2−Ｃ10オキサアルキレン又はＣ2−Ｃ10ジチアアルキレン、フェニレン、ナフチレン、ジフェニレン、又はＣ2−Ｃ6アルケニレンであり、ただし、ｒが３の場合には、アルケニレンは少なくとも３個の炭素原子を有するものとし、
Ｒ17は、Ｃ2−Ｃ10アルキレン、フェニレン、ナフチレン、ジフェニレン、又はＣ2−Ｃ6アルケニレン、メチレンジフェニレン、又はＣ4−Ｃ15アルキルフェニレンであり；そして
Ｒ18は、Ｃ2−Ｃ10アルキレン、又は１個以上の酸素原子で中断されているＣ4−Ｃ20アルキレンである］
を有する化合物。
【請求項４】  式（Ｖ）：
【化５】
2002518488.tif 000004
[式中、Ａ，Ｘ，Ｒ，及びＲ3は、請求項１におけると同様に定義され；
Ｒ4は、１〜１２個の炭素原子を有する直鎖アルキル、１〜１２個の炭素原子を有する分岐アルキル、５〜１２個の炭素原子を有するシクロアルキル、シクロヘキシルで置換されたアルキル、シクロヘキシルで中断されているアルキル、フェニレンで置換されたアルキル、フェニレンで中断されているアルキル、ベンジリデン、−Ｓ−、−Ｓ−Ｓ−、−Ｓ−Ｅ−Ｓ−、−ＳＯ−、−ＳＯ2−、−ＳＯ−Ｅ−ＳＯ−、−ＳＯ2−Ｅ−ＳＯ2−、−ＣＨ2−ＮＨ−Ｅ−ＮＨ−ＣＨ2−、及び
【化６】
2002518488.tif 000005
（ここに、Ｅは、２〜１２個の炭素原子を有するアルキル、５〜１２個の炭素原子を有するシクロアルキル、８〜１２個の炭素原子を有するシクロヘキシルで中断されているアルキル、８〜１２個の炭素原子を有するシクロヘキシルが末端に結合しているアルキルから成る群から選ばれる）
から成る群から選ばれ；
ｒは、２と４の間の整数であり；そして
Ｌは、水素、ヒドロカルビル、ハロゲン、ヒドロキシル、シアノ、−Ｏ（ヒドロカルビル）、−Ｏ（官能性ヒドロカルビル）、−Ｎ（ヒドロカルビル）（ヒドロカルビル）、−Ｎ（官能性ヒドロカルビル）（官能性ヒドロカルビル）、−Ｓ（ヒドロカルビル）、−Ｓ（官能性ヒドロカルビル）、ＳＯ2（ヒドロカルビル）、ＳＯ3（ヒドロカルビル）、ＳＯ2（官能性ヒドロカルビル）、ＳＯ3（官能性ヒドロカルビル）、−ＣＯＯ（ヒドロカルビル）、−ＣＯＯ（官能性ヒドロカルビル）、−ＣＯ（ヒドロカルビル）、−ＣＯ（官能性ヒドロカルビル）、−ＯＣＯ（ヒドロカルビル）、−ＯＣＯ（官能性ヒドロカルビル）、−ＣＯＮＨ2、−ＣＯＮＨ（ヒドロカルビル）、−ＣＯＮＨ（官能性ヒドロカルビル）、−ＣＯＮ（ヒドロカルビル）（ヒドロカルビル）、−ＣＯＮ（官能性ヒドロカルビル）（ヒドロカルビル）、−ＣＯＮ（官能性ヒドロカルビル）（官能性ヒドロカルビル）、又は上記の基のいずれかで置換されたヒドロカルビル基から選ばれる］
を有する化合物。
【請求項５】  式（ＸＸＸＩＶ）：
【化７】
2002518488.tif 000006
［式中、
Ａ、Ｘ、Ｒ、Ｒ3、及びＲ4は、請求項１におけると同様に定義され；
Ｔ及びＴ’の各々は、独立に、直接結合、炭素、酸素、窒素、硫黄、リン、ホウ素、シリコン、又はこれらの元素を含む官能基であり；
Ｙ及びＺの各々、並びにＹ、Ｚ、Ｒ3、及びＲ4の各々は、独立に、水素、ヒドロカルビル基、官能性ヒドロカルビル基、ハロゲン、ヒドロキシル、シアノ、−Ｏ（ヒドロカルビル）、−Ｏ（官能性ヒドロカルビル）、−Ｎ（ヒドロカルビル）（ヒドロカルビル）、−Ｎ（官能性ヒドロカルビル）（官能性ヒドロカルビル）、−Ｎ（ヒドロカルビル）（官能性ヒドロカルビル）、−Ｓ（ヒドロカルビル）、−Ｓ（官能性ヒドロカルビル）、ＳＯ2（ヒドロカルビル）、ＳＯ2（ヒドロカルビル）、ＳＯ3（ヒドロカルビル）、ＳＯ3（官能性ヒドロカルビル）、−ＣＯＯ（ヒドロカルビル）、−ＣＯＯ（官能性ヒドロカルビル）、−ＣＯ（ヒドロカルビル）、−ＣＯ（官能性ヒドロカルビル）、−ＯＣＯ（ヒドロカルビル）、−ＯＣＯ（官能性ヒドロカルビル）、−Ｎ（ヒドロカルビル）（ヒドロカルビル）、−ＣＯＮＨ2、−ＣＯＮＨ（ヒドロカルビル）、−ＣＯＮＨ（官能性ヒドロカルビル）、−ＣＯＮ（ヒドロカルビル）（ヒドロカルビル）、−ＣＯＮ（ヒドロカルビル）（官能性ヒドロカルビル）、−ＣＯＮ（官能性ヒドロカルビル）（官能性ヒドロカルビル）、−Ｓ（官能性ヒドロカルビル）、ＳＯ2（官能性ヒドロカルビル）、ＳＯ3（官能性ヒドロカルビル）、−ＣＯＯ（官能性ヒドロカルビル）、−ＣＯ（官能性ヒドロカルビル）、−ＯＣＯ（官能性ヒドロカルビル）、又は、上記の基のいずれかで置換されたヒドロカルビル基である］
を有する化合物。
【請求項６】  化学線による劣化を受ける物質を、該物質に、その物質を化学線の作用に対して安定化するのに十分な量の化学線安定剤組成物を含有させることによって安定化する方法であって、化学線安定剤組成物が請求項１に記載の化合物を含んで成る方法。
【請求項７】  化学線遮蔽組成物を、基体を攻撃する化学線の量を減少させるのに効果のある量で含有するフィルムを、基体上に形成することによって、化学線による劣化に対して基体を保護する方法であって、化学線遮蔽組成物が請求項１に記載の化合物を含んで成る方法。
【請求項８】  フィルム形成性結合剤組成物及び化学線を安定化する量の安定剤組成物を含んで成る、化学線による劣化に対して安定化されたフィルムを形成するのに好適なコーティング組成物であって、安定剤組成物が請求項１に記載の化合物を含んで成るコーティング組成物。
【請求項９】  化学線による劣化を受ける物質を、該物質に、その物質を化学線の作用に対して安定化するのに十分な量の化学線安定剤組成物を含有させることによって安定化する方法であって、化学線安定剤組成物が請求項１に記載の化合物を含んで成る方法。
【請求項１０】  結合剤及び請求項１に記載の化合物を含んで成る化学線安定化組成物。
【請求項１１】  請求項１０に記載の光安定化組成物を含んで成る写真用材料。
【請求項１２】  請求項１０に記載の光安定化組成物を含んで成る化粧品組成物。
【請求項１３】  式  （ＸＸＩＩ）：
【化８】
2002518488.tif 000007
（式中、Ａ及びＲは、請求項におけると同様に定義され；そしてＨａｌは、臭素、塩素又は沃素である）
を有する化合物。